(57)【要約】【課題】本発明は、操作感覚を得ることのできる機能ボタンを見やすい状態で表示する操作表示装置に関する。【解決手段】操作表示装置１は、操作感を付与しつつ操作の有無を検出するメカニカルスイッチ２２ａが所定の配置状態で複数配置されているスイッチ部２２の全面を覆う状態で、少なくともメカニカルスイッチ２２ａと対応する位置に機能ボタン２５を表示する所定の柔軟性を有するフィルム状のディスプレイ部２３が重ねて配置されている。したがって、広いディスプレイ部２３に機能ボタン２５を表示するので、視認性を向上させることができるとともに、機能ボタンの操作感を向上させることができる。【選択図】          図１
2010039595.tif 000002
【特許請求の範囲】
【請求項１】
操作感を付与しつつ操作の有無を検出するハードウェア構成のスイッチ機構が所定の配置状態で複数配置されているスイッチ手段と、該スイッチ手段に重ねて配置され少なくとも該スイッチ機構と対応する位置に機能ボタンを表示し所定の柔軟性を有するフィルム状の表示手段と、を備えていることを特徴とする操作表示装置。
【請求項２】
前記表示手段は、前記機能ボタンをその種類を種々変更するとともに、前記スイッチ機構に対応する位置であって、その表示位置及び表示数を種々変更して表示することを特徴とする請求項１記載の操作表示装置。
【請求項３】
前記スイッチ手段は、メカニカルスイッチを前記スイッチ機構として有することを特徴とする請求項１または請求項２記載の操作表示装置。
【請求項４】
前記スイッチ手段は、シート状の小さいスイッチが所定の配置状態で複数配置されているスイッチシートであり、前記表示手段は、複数の該スイッチをスイッチ対象として含む状態で前記機能ボタンを表示することを特徴とする請求項１または請求項２記載の操作表示装置。
【請求項５】
前記表示手段は、前記機能ボタンとして、前記スイッチ機構の形状に合わせて任意の画像、動画、文字または／及び記号を表示することを特徴とする請求項１から請求項４のいずれかに記載の操作表示装置。
【請求項６】
前記表示手段は、電力の供給がない状態で表示状態を維持し表示内容を切り替えるときのみ電力を消費する電子ペーパであることを特徴とする請求項１から請求項５のいずれかに記載の操作表示装置。
【請求項７】
前記操作表示装置は、その電源切断時に前記電子ペーパに該電源切断前の表示内容をそのまま表示させることを特徴とする請求項６記載の操作表示装置。
【請求項８】
前記操作表示装置は、その電源切断時に前記電子ペーパの表示を特定の文字、画像、記号等に切り替えて表示させることを特徴とする請求項６記載の操作表示装置。
【請求項９】
前記操作表示装置は、所定のネットワークに接続され、前記電源切断時に前記電子ペーパに表示させる特定の文字、画像、記号等を該ネットワークから送られてくる文字、画像、記号等に変更することを特徴とする請求項８記載の操作表示装置。
【請求項１０】
前記操作表示装置は、前記電源切断時に特定の文字、画像、記号等に切り替えて前記電子ペーパに表示させるか否かを選択する選択手段を備え、該選択手段の選択に応じて該電子ペーパの表示を制御することを特徴とする請求項７から請求項９のいずれかに記載の操作表示装置。
【請求項１１】
前記表示手段は、有機エレクトロルミネッセンスまたは有機発光ダイオードを用いられていることを特徴とする請求項１から請求項５のいずれかに記載の操作表示装置。
【請求項１２】
前記操作表示装置は、その方向を検知する方向センサを備えており、該方向センサの検出する方向に応じて前記表示手段への表示の向きを変更させることを特徴とする請求項１から請求項１１のいずれかに記載の操作表示装置。
【発明の詳細な説明】
【技術分野】
【０００１】
本発明は、操作表示装置に関し、詳細には、操作感覚を得ることのできる機能ボタンを見やすい状態で表示する操作表示装置に関する。
【背景技術】
【０００２】
複合装置、複写装置、プリンタ装置等の画像処理装置やその他の電子機器においては、機能の向上、多様化が進み、操作部で操作する操作内容も複雑化・多様化してきている。このような入力操作の複雑化・多様化に対応するために、近年、図１３に示すように、操作部として、ユーザが視覚的に操作を行うことのできる液晶タッチパネルを用いるとともに、使用する機能によって、表示画面を切り替えるとともに、該表示画面に該機能に応じた機能ボタンを表示してタッチ操作でボタン操作を行ったり、ユーザによるメンテナンスの容易性を向上させるために動画を表示するようになってきている。
【０００３】
また、従来、入力キーの表示を表示モードに従って可変にするために、入力キーのキートップに文字、記号を表示する電子ペーパを設けて該文字、記号を可変にして、１つの入力キーに複数の機能を割り当てる技術が提案されている（特許文献１参照）。
【０００４】
【特許文献１】特開２００５−３５２９８７号公報
【発明の開示】
【発明が解決しようとする課題】
【０００５】
しかしながら、上記従来技術にあっては、適切な操作感覚を得ることができかつ操作内容の視認性をより一層向上させる上で、改良の必要があった。
【０００６】
すなわち、従来の液晶タッチパネルは、一般的に、電極の形成された２枚のガラス基板で液晶を挟んで、このガラス基板の両側に偏光板、位相差板及び反射板（透過型の場合は、バックライト）等の部材を張り合わせたＬＣＤ（Liquid Crystal Display）の該ガラス基板上に、タッチパネルを積層したものであり、該ＬＣＤに機能ボタンを表示させて、該機能ボタンに対応する位置のタッチパネルへのタッチ操作を、該タッチパネルをＸ軸方向及びＹ軸方向に区切って検出するタッチ検出回路で検出している。したがって、タッチパネル方式の操作部にあっては、タッチパネルが該タッチパネルの面に対して鉛直方向に移動しないため、機能ボタンの操作に対して操作感（クリック感等）を得ることができず、操作確認上で利用性が悪いという問題があった。
【０００７】
また、上記特許文献記載の従来技術にあっては、ハードキーのキートップに電子ペーパを設けて１つのハードキーに複数の機能を割り当て、機能の多様化にある程度対応するとともに、ハードキーの操作による操作感（クリック感）を得ることはできるが、ハードキーの配置、数、大きさが固定されており、汎用性に欠けるとともに、表示部分がキートップ毎に区切られていて、ディスプレイ全体を使用した動画表示を行うことができない等の表示領域に制限があり、表示内容に対する視認性が悪く、利用性が悪いという問題があった。
【０００８】
そこで、本発明は、視認性が良好で操作感の良好な操作表示装置を提供することを目的としている。
【課題を解決するための手段】
【０００９】
本発明は、上記目的を達成するために、操作感を付与しつつ操作の有無を検出するハードウェア構成のスイッチ機構が所定の配置状態で複数配置されているスイッチ手段の全面を覆う状態で、少なくとも該スイッチ機構と対応する位置に機能ボタンを表示する所定の柔軟性を有するフィルム状の表示手段を重ねて配置することにより、上記目的を達成している。
【００１０】
また、本発明は、前記表示手段が、前記機能ボタンをその種類を種々変更するとともに、前記スイッチ機構に対応する位置であって、その表示位置及び表示数を種々変更して表示することを特徴としてもよい。
【００１１】
さらに、本発明は、前記スイッチ手段が、メカニカルスイッチを前記スイッチ機構として有することを特徴としてもよい。
【００１２】
また、本発明は、前記スイッチ手段が、シート状の小さいスイッチが所定の配置状態で複数配置されているスイッチシートであり、前記表示手段が、複数の該スイッチをスイッチ対象として含む状態で前記機能ボタンを表示することを特徴としてもよい。
【００１３】
さらに、本発明は、前記表示手段が、前記機能ボタンとして、前記スイッチ機構の形状に合わせて任意の画像、動画、文字または／及び記号を表示することを特徴としてもよい。
【００１４】
また、本発明は、前記表示手段が、電子ペーパであって、操作表示装置の電源切断時に該電源切断前の表示内容をそのまま表示、または、特定の文字、画像、記号等に切り替えて表示、あるいは、ネットワークから送られてくる文字、画像、記号等に変更して表示することを特徴としてもよい。
【００１５】
さらに、本発明は、前記操作表示装置の方向を検知する方向センサの検出する方向に応じて前記表示手段への表示の向きを変更させることを特徴としてもよい。
【発明の効果】
【００１６】
本発明の操作表示装置によれば、視認性を向上させつつ、操作感を向上させることができる。
【発明を実施するための最良の形態】
【００１７】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１８】
図１〜図１２は、本発明の操作表示装置の一実施例を示す図であり、図１は、本発明の操作表示装置の一実施例を適用した操作表示装置１の平面図である。
【００１９】
図１において、操作表示装置１は、筐体２の表面側に複数のハードキー１０が配設されているとともに、操作表示部２０が設けられており、ハードキー１０としては、テンキー１１、スタートキー１２、クリア／ストップキー１３等の複数のキーが設けられている。
【００２０】
操作表示部２０は、図２及び図３に示すように、基板２１上に、ハード構成のスイッチ機構としてのメカニカルスイッチ２２ａが主副（ＸＹ）方向にそれぞれ複数列状に配置されているスイッチ部（スイッチ手段）２２が配設されており、このスイッチ部２２上の全面を覆う状態で、ディスプレイ部（表示手段）２３が重ねて配設されている。ディスプレイ部２３は、図３に示すように、フレーム２４に支持されている。
【００２１】
ディスプレイ部２３は、本実施例では、電力の供給がない状態で表示状態を維持し表示内容を切り替えるときにのみ電力を消費する電子ペーパが用いられているが、電子ペーパに限るものではなく、該ディスプレイ部２３を押すことで、下に配設されているスイッチ部２２のメカニカルスイッチ２２ａの押下が可能であって、該メカニカルスイッチ２２ａを押下した操作感を得ることのできる柔軟性を有する素材で表示機能を発揮するものであれば、どのようなものであってもよく、例えば、有機ＥＬ（Organic Electro-Luminescence：有機エレクトロルミネッセンス）ディスプレイや有機発光ダイオードディスプレイ等であってもよい。
【００２２】
なお、ディスプレイ部２３として、電子ペーパを用いると、電子ペーパ特有の機能による効果、すなわち、入力信号に応じて表示内容が変化して、表示内容の書き替え時にのみ電力を消費し、電力を供給し続けることなく表示内容を維持する機能による消費電力の削減効果を発揮させることができる。
【００２３】
また、電子ペーパは、薄く、柔軟性に富んでおり、メカニカルスイッチ２２ａに対する適切な操作感を得ることができるとともに、湾曲した状態でも利用することができる。
【００２４】
ディスプレイ部２３は、各種情報を表示するとともに、図４に示すように、スイッチ部２２の任意のメカニカルスイッチ２２ａに対応する位置に、機能ボタン２５を表示し、ディスプレイ部２３の該機能ボタン２５部分が押下されることで、柔軟性を有するディスプレイ部２３が機能ボタン２５に対応する位置のメカニカルスイッチ２２ａを押下操作する。
【００２５】
基板２１は、図示しないが、スイッチ部２２の各メカニカルスイッチ２２ａの操作状態を検出する操作検出回路を搭載している。
【００２６】
そして、操作表示装置１は、例えば、図５に示すように、プリンタ装置、複写装置、複合装置等の画像形成装置３０の操作表示装置１として適用され、画像形成装置３０は、マイクロＣＰＵ（Central Processing Unit ）３１、ＲＯＭ（Read Only Memory）３２、ＲＡＭ（Random Access Memory）３３、不揮発性ＲＡＭ３４、入出力ポート３５及びシリアル通信制御ユニット３６等を備えているとともに、図示しないが、画像形成装置３０が複合装置の場合、プリンタ部、スキャナ部、ファクシミリ通信部等を備えている。
【００２７】
ＲＯＭ３２は、画像形成装置１の基本プログラムや操作表示装置１の制御プログラム及び必要なシステムデータ等を記憶している。ＣＰＵ３１は、ＲＯＭ３２内のプログラムに基づいてＲＡＭ３３をワークメモリとして利用しつつ、操作表示装置１への各種情報や機能ボタン２５の表示処理、機能ボタン２５やハードキー１０の操作検出処理を行って、該操作内容に応じて、画像形成装置１の各部を制御し、画像形成装置１としての処理を実行する。
【００２８】
不揮発性ＲＡＭ３４は、画像形成装置３０の電源がオフの場合にも記憶しておく必要のあるデータ、例えば、画像形成装置３０の機番、ファクシミリ番号等がＣＰＵ３１の制御下で記憶され、また、ＣＰＵ３１によって読み出される。
【００２９】
入出力ポート３５は、スキャナ部、プリンタ部及びファクシミリ通信部のモータ、ソレノイド、クラッチ等及びセンサ等が接続され、これらとマイクロＣＰＵ３１との間の信号の授受を行う。
【００３０】
シリアル通信制御ユニット３６には、操作表示装置１及びその他のシリアル制御の対象となる各部が接続され、シリアル通信制御ユニット３６は、特に、操作表示装置１とマイクロＣＰＵ３１との間の信号の授受を行う。
【００３１】
次に、本実施例の作用を説明する。本実施例の操作表示装置１は、操作表示部２０がそのディスプレイ部２３に各種情報を表示するとともに、機能ボタン２５を表示し、該ディスプレイ部２３のボタン操作の操作感を確保しつつ、機能ボタン２５を適宜変更して表示する。
【００３２】
すなわち、操作表示部２０は、図２及び図３に示したように、下部から、基板２１、スイッチ部２２及びディスプレイ部２３が順次積層されており、ディスプレイ部２３として、電子ペーパ等の柔軟性に富んだフィルム状のディスプレイが用いられている。特に、ディスプレイ部２３として電子ペーパを用いると、表示情報の書き替え時にのみ、電力を供給することで、次の書き替え時まで電力を必要としない。
【００３３】
そして、ディスプレイ部２３には、操作表示装置１の適用される機器、例えば、図５に示した画像形成装置３０のマイクロＣＰＵ３１からの表示情報に基づいて、各種情報を表示するとともに、図４に示したように、機能ボタン２５をスイッチ部２２に設けられているメカニカルスイッチ２２ａの真上の位置にメカニカルスイッチ２２ａの形状と大きさに合わせた形状と大きさで表示し、該機能ボタン２５に対して押下操作が行われると、ディスプレイ部２３が柔軟性に富んだフィルム状に形成されているため、該機能ボタン２５の押下によって、ディスプレイ部２３が該押下された機能ボタン２５に対応する位置の真下に配設されているメカニカルスイッチ２２ａを確実に押下することができる。したがって、このメカニカルスイッチ２２ａの押下操作の操作感覚を、ディスプレイ部２３の機能ボタン２５を操作するユーザに、ボタン操作の操作感として伝達することができ、機能ボタン２５の操作に対して適切な操作感を与えることができる。
【００３４】
このように、本実施例の操作表示装置１は、操作感を付与しつつ操作の有無を検出するハードウェア構成のメカニカルスイッチ２２ａが所定の配置状態で複数配置されているスイッチ部２２全面を覆う状態で、少なくともメカニカルスイッチ２２ａと対応する位置に機能ボタン２５を表示する所定の柔軟性を有するフィルム状のディスプレイ部２３が重ねて配置されている。
【００３５】
したがって、広いディスプレイ部２３に機能ボタン２５を表示するので、視認性を向上させることができるとともに、機能ボタンのボタン操作の操作感を向上させることができる。
【００３６】
また、本実施例の操作表示装置１は、ディスプレイ部２３として、電子ペーパを用いているので、表示内容を電力供給することなく、半永久的に保持することができ、消費電力を削減することができる。
【００３７】
さらに、操作表示装置１は、ディスプレイ部２３として、電子ペーパを用いているので、その電源切断時、例えば、操作表示装置１の適用されている画像形成装置３０の電源切断時に、ディスプレイ部２３の表示内容を切り替えたり、削除することを行わないようにすると、電源切断前の表示内容を表示させ続けることができ、電源切断前の状態を確認することができる。
【００３８】
また、操作表示装置１は、その電源、例えば、操作表示装置１の適用されている画像形成装置３０の電源切断時に、ディスプレイ部２３の表示内容を、会社のロゴマーク等の特定の文字、画像、記号等に変更して、該特定の文字、画像、記号等を表示させるようにしてもよい。この場合、例えば、操作表示装置１の適用される画像形成装置３０の初期設定として、該表示させる特定の文字、画像、記号等を設定することで、画像形成装置３０から操作表示装置１の表示内容を、特定の文字、画像、記号等に切り替えさせ、電源切断時に電力を消費することなく、特定の文字、画像、記号等を表示させることができる。
【００３９】
さらに、画像形成装置３０が、ＬＡＮ（Local Area Network）等のネットワークに接続されていると、該ネットワークに接続されているコンピュータ等から電源切断時に表示させる特定の文字、画像、記号等を画像形成装置３０に送信して、該特定の文字、画像、記号等として設定することで、画像形成装置３０から操作表示装置１の表示内容を、特定の文字、画像、記号等に切り替えさせ、電源切断時に電力を消費することなく、特定の文字、画像、記号等を表示させることができる。
【００４０】
また、操作表示装置１は、その電源切断時のディスプレイ部２３の表示状態を選択する選択ボタンを、例えば、機能ボタン２５として表示して、該選択ボタンによって電源切断時に特定の文字、画像、記号等を表示させるか否かを選択設定できるようにしてもよい。
【００４１】
このようにすると、電源切断時における特定の文字、画像、記号等の表示を、操作表示装置１の利用状況等に応じて、選択することができ、操作表示装置１の利用性を向上させることができる。
【００４２】
さらに、操作表示装置１は、その側面等の適当な位置に、ディスプレイ部２３の表示濃度を調整する濃度調整ダイヤルや濃度調整スイッチを設けたり、ディスプレイ部２３に濃度調整機能ボタンを表示し、該濃度調整ダイヤルや濃度調整スイッチが操作されることで、または、濃度調整機能ボタンが操作されることで、ディスプレイ部２３の表示濃度を調整するようにしてもよい。
【００４３】
このようにすると、ディスプレイ部２３の表示濃度を利用者が見やすい濃度にすることができ、利用性を向上させることができる。
【００４４】
さらに、操作表示装置１は、例えば、基板２１の絶縁部等の適当な部分にバックライトを設けてもよい。
【００４５】
このようにバックライトを設けると、ディスプレイ部２３の表示輝度を向上させることができ、ディスプレイ部２３に表示される機能ボタン２５の操作を、暗い場所でも容易に行えるようにすることができる。
【００４６】
また、図１では、操作表示装置１は、操作表示部２０の他に、テンキー１１やスタート機１２等のハードキー１０が別に設けられているが、ハードキーを極力少なくし、例えば、図６に操作表示装置４０の操作表示部４１の平面図を示すように、操作表示装置４０の全面を、操作表示部４１として構成してもよい。操作表示部４１は、図示しないが、上記操作表示部２０と同様に、基板２１上に、ハード構成スイッチとしてのメカニカルスイッチ２２ａ及びディスプレイ部２３が積層された構成となっており、ディスプレイ部２３としては、例えば、上記同様に、電子ペーパが用いられている。
【００４７】
操作表示部４１は、図６では、操作表示装置４０の適用される機器の動作モードを選択する機能ボタンとしてのモード選択ボタン４２、動作モードに応じた機能ボタンを種々変更して表示するモード対応ボタン４３、機能ボタンとしてのテンキー４４及びスタートキー４５等を表示する。
【００４８】
そして、図６の操作表示装置４０は、例えば、図５に示した画像形成装置３０に適用されている場合、マイクロＣＰＵ３１の制御下で、例えば、図７に示すように、図７（ａ）のコピーモードでは、その操作表示部４１のモード対応ボタン４３に、Ａ３、Ａ４、Ｂ３、Ｂ４等のコピー操作に必要な機能ボタンを表示しており、テンキー４４として、１部、２部等のコピー部数を選択操作する機能ボタンを表示している。この状態で、図８に示すように、モード選択ボタン４２のボタン操作、例えば、ＦＡＸボタンの押下操作が行われると（ステップＳ１０１）、マイクロＣＰＵ３１は、該選択操作されたモードに応じた表示画像を操作表示装置４０に送って、操作表示部４１が、例えば、図７（ｂ）に示すようなＦＡＸモードの画面表示を行う（ステップＳ１０２）。この図７（ｂ）のＦＡＸモードでは、その操作表示部４１のモード対応ボタン４３に、宛先、電話帳、送信、履歴等のファクシミリ通信操作に必要な機能ボタンを表示しており、テンキー４４として、１、２・・・等の宛先のファクシミリ番号を入力操作する機能ボタンを表示している。
【００４９】
なお、このモードに対応した表示内容の画面表示においては、選択されたモードに応じて表示内容を変化させるが、表示する機能ボタン２５のボタン領域を各モードで同じにすると、モードの切り替えが行われても、操作表示部４１に表示されるボタン領域とメカニカルスイッチ２２ａが上下で対応した位置関係を各モードで維持させることができ、操作表示部４１の表示を切り変えたときに、ボタン領域のどの部分が押下されても、該押下をメカニカルスイッチ２２ａで正確に検出することができる。
【００５０】
また、機能ボタン２５として使うボタン領域以外のディスプレイ部２３の表示領域は、メカニカルスイッチ２２ａと同じ形状を表示する必要はなく、メッセージや操作状況を自由に表示することができる。
【００５１】
なお、上記説明では、操作表示装置１の操作表示部２０または操作表示装置４０の操作表示部４１は、基板２１、ハード構成スイッチのメカニカルスイッチ２２ａ及びディスプレイ部２３が順次積層された構成となっているが、ハード構成スイッチとしては、メカニカルスイッチ２２ａに限るものではなく、例えば、図９及び図１０に示すように、スイッチシート５０を用いてもよい。スイッチシート５０は、メカニカルスイッチ２２ａよりも小さいスイッチ５０ａをｘｙ方向に多数配列したシート状のスイッチであり、図１０に示すように、スイッチシート５０のスイッチ５０ａを中心として、ディスプレイ部２３に機能ボタン２５を表示する。そして、この機能ボタン２５の表示領域と該機能ボタン２５の表示領域に対応する位置に配置されているスイッチシート５０の複数のスイッチ５０ａとを対応させて認識することで、スイッチ５０ａによって確実に機能ボタン２５の操作を検出することができる。
【００５２】
このように、スイッチシート５０は、メカニカルスイッチ２２ａとは異なり、スイッチ５０ａの形状と機能ボタン２５の形状を合わせる必要がなく、より自由な形状の機能ボタン２５を表示することができ、利用性を向上させることができる。
【００５３】
また、操作表示装置１、４０、特に操作表示部２０、４１に、操作表示部２０、４１の方向を検知する方向センサを設け、該方向センサの方向検知結果に基づいて、例えば、図１１に示すように、操作表示部２０、４１の方向に応じて表示内容を変更するようにしてもよい。図１１では、図１１（ａ）に示すように、横方向に位置していた操作表示部２０、４１が縦方向に方向が変更されたことを方向センサが検知すると、図１１（ｂ）に示すように、縦方向に適した表示内容に表示を変更する。この表示内容の変更は、例えば、操作表示装置１、４０が適用される機器、例えば、図５に示した画像形成装置３０のマイクロＣＰＵ３１が制御してもよいし、操作表示装置１、４０の制御部が制御してもよい。
【００５４】
このようにすると、操作表示装置１、４０の設置方向に応じて表示の向きを自動的に適切な向きに制御することができ、利用性を向上させることができる。
【００５５】
さらに、操作表示部２０、４１は、ディスプレイ部２３として、ディスプレイ部２３の下部に配設されているスイッチ部２２のメカニカルスイッチ２２ａやスイッチシート５０のスイッチ５０ａ等のハード構成スイッチを押下可能であって、該ハード構成スイッチを押下した操作感を得ることのできる柔軟性を有する表示機能を有するものが用いられている。特に、電子ペーパは、薄く、柔軟性に富んでおり、メカニカルスイッチ２２ａやスイッチ５０ａ等に対する適切な操作感を得ることができるとともに、湾曲した状態でも利用することができる。したがって、例えば、図１２に示すように、操作表示部２０、４１が所定の湾曲した形状を有する場合にも、適切に適用することができ、汎用性を向上させることができる。
【００５６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００５７】
本発明は、操作感覚を得ることのできる機能ボタンを表示する、複合装置、プリンタ装置、複写装置、スキャナ装置等の各種操作を必要とする機器に適用される操作表示装置に利用することができる。
【図面の簡単な説明】
【００５８】
【図１】本発明の一実施例を適用した操作表示装置の平面図。
【図２】図１の操作表示部の分解斜視図。
【図３】図１の操作表示部の正面断面図。
【図４】図１の操作表示部の部分拡大分解斜視図。
【図５】図１の操作表示装置の適用される画像形成装置の要部ブロック構成図。
【図６】操作面全面が操作表示部で構成されている操作表示装置の平面図。
【図７】動作モードで表示内容を変更する操作表示装置の一例を示す平面図。
【図８】動作モードに応じた表示内容の表示切り替え処理を示すフローチャート。
【図９】スイッチシートを用いた操作表示部の分解斜視図。
【図１０】図９の操作表示部の拡大分解斜視図。
【図１１】操作表示部の方向に応じて表示の向きを制御する場合の説明図。
【図１２】湾曲した操作表示部を有する操作表示装置の斜視図。
【図１３】従来の操作部液晶タッチパネルの一例を示す図。
【符号の説明】
【００５９】
１  操作表示装置
２  筐体
１０  ハードキー
１１  テンキー
１２  スタートキー
１３  クリア／ストップキー
２０  操作表示部
２１  基板
２２  スイッチ部
２２ａ  メカニカルスイッチ
２３  ディスプレイ部
２４  フレーム
２５  機能ボタン
３０  画像形成装置
３１  マイクロＣＰＵ
３２  ＲＯＭ
３３  ＲＡＭ
３４  不揮発性ＲＡＭ
３５  入出力ポート
３６  シリアル通信制御ユニット
４０  操作表示装置
４１  操作表示部
４２  モード選択ボタン
４３  モード対応ボタン
４４  テンキー
４５  スタートキー
５０  スイッチシート
５０ａ  スイッチ
【図１】
2010039595.tif 000003
【図２】
2010039595.tif 000004
【図３】
2010039595.tif 000005
【図４】
2010039595.tif 000006
【図５】
2010039595.tif 000007
【図６】
2010039595.tif 000008
【図７】
2010039595.tif 000009
【図８】
2010039595.tif 000010
【図９】
2010039595.tif 000011
【図１０】
2010039595.tif 000012
【図１１】
2010039595.tif 000013
【図１２】
2010039595.tif 000014
【図１３】
2010039595.tif 000015